(57)【特許請求の範囲】
【請求項１】
一対の電線挿入孔を有するとともにねじ込み式ランプの口金部がねじ込まれる口金受け筒部を有するボディと、前記ねじ込み式ランプの前記口金部の外周をなす螺旋溝を有した周壁に接触されるように前記ボディ内に配置された第１端子と、前記ねじ込み式ランプの前記口金部のアウトレット端子に接触されるように前記第１端子から離れて前記ボディ内に配置された第２端子と、を具備するねじ込みソケットにおいて、
前記両端子が、前記口金部と接触する口金接触片と、この接触片の長手方向に連続して前記口金接触片の一端であって、かつ、前記口金接触片よりも幅広となるように一体に設けられるとともに前記ボディの端子収容部に取付けられる固定基部と、この固定基部の一部が前記口金接触片の長手方向であって、一面側に切起こされて前記電線挿入孔に対向する電線鎖錠片とを有し、
前記第１端子の口金接触片は波板状をなしていることを特徴とするねじ込みソケット。
【請求項２】
一対の電線挿入孔を有するとともにねじ込み式ランプの口金部がねじ込まれる口金受け筒部を有するボディと、前記ねじ込み式ランプの前記口金部の外周をなす螺旋溝を有した周壁に接触されるように前記ボディ内に配置された第１端子と、前記ねじ込み式ランプの前記口金部のアウトレット端子に接触されるように前記第１端子から離れて前記ボディ内に配置された第２端子と、を具備するねじ込みソケットにおいて、
前記両端子が、前記口金部と接触する口金接触片と、この接触片の長手方向に連続して前記口金接触片の一端であって、かつ、前記口金接触片よりも幅広となるように一体に設けられるとともに前記ボディの端子収容部に取付けられる固定基部と、この固定基部の一部が前記口金接触片の長手方向であって、一面側に切起こされて前記電線挿入孔に対向する電線鎖錠片と、前記口金接触片と前記固定基部とが連続する方向に対して直角方向に前記固定基部から延出された部分を斜めに折り曲げてなるリード脚鎖錠片とを有し、
前記第１端子の口金接触片は波板状をなして形成され、
かつ、前記一対のリード脚鎖錠片間に位置して前記ボディに設けられた絶縁壁と、
一対のリード脚を有して前記ボディ内に前記口金受け筒部の軸方向と直交する方向に挿入され、前記一対のリード脚の夫々が前記絶縁壁と前記リード脚鎖錠片とで挟持されて前記ボディに取付けられる付属電気部品と、
を備えることを特徴とするねじ込みソケット。
【請求項３】
前記両端子が金属帯板から打抜かれた素材を曲げ加工してなり、前記素材の展開形状が、口金接触片形成部分、この口金接触片形成部分の長手方向に延びて前記口金接触片形成部分の長手方向一端に連続する固定基部形成部分、及びこの固定基部形成部分と前記口金接触片形成部分とが連続する方向に対して直角方向に前記固定基部形成部分から延出されるリード脚鎖錠片形成部分を有して、Ｌ字形状をなしているとともに、この展開形状において前記固定基部形成部分内に電線鎖錠片形成部分の切起しを可能とするスリットが設けられていることを特徴とする請求項１又は２に記載のねじ込みソケット。
【請求項４】
前記付属電気部品の挿入側と反対側に位置して前記ボディに器具取付け部を設けたことを特徴とする請求項２又は３に記載のねじ込みソケット。
【請求項５】
照明器具本体と、
この本体に支持された放電ランプと、
前記照明器具本体に装着された請求項１〜４の内のいずれか１項に記載のねじ込みソケットと、
このソケットの口金受け筒部にねじ込んで取付けられるねじ込み式グローランプと、
を具備したことを特徴とする照明器具。
【発明の詳細な説明】
【０００１】
【発明の属する技術分野】
本発明は、放電ランプを始動させるグローランプ等が取付けられるねじ込みソケット、及びこのねじ込みソケットを具備した照明器具に関する。
【０００２】
【従来の技術】
放電ランプを備える照明器具の中には、前記ランプを始動させるためのグローランプが取付けられるねじ込みソケットを備えるたものがあり、そのソケットには必要により雑音防止用コンデンサが取付けられる。このようなねじ込みソケットは特開平９−３２０３２６号公報で知られている。
【０００３】
図１１に示されるように前記公報に記載のねじ込みソケット１は、合成樹脂製のボディ２内に第１端子３と第２端子４とを配置しており、ボディ２の裏面開口はこのボディ２にセルフヒンジ５を介して接続された裏蓋６で閉じられる。ボディ２は、グローランプ７の口金部７ａがねじ込まれる口金受け筒部８を有するとともに、これと平行にコンデンサ９が挿入されるコンデンサ収容部１０を有し、この収容部１０はねじ込みソケット１の器具取付け部側に寄せて設けられている。
【０００４】
図１２に示されるように第１端子３は、くの字形に折れ曲がって連なった第１片部１１ａ及び第２片部１１ｂからなる固定基部１１と、第１片部１１ａの一端から一体に突出された波板状の口金接触片１２と、第２片部１１ｂの一端から一体に突設された電線鎖錠片１３と、第２片部１１ｂから切起こされたリード脚鎖錠片１４とから形成されており、その固定基部１１をボディ２の背面側に形成した第１端子収容部２ａに挿入することによってボディ２に取付けられている。この取付け状態で、口金接触片１２が口金受け筒部８の内面に沿って配置されるとともに、電線鎖錠片１３がボディ２の前面側に形成された図示しない第１の電線挿入孔に対向して配置され、かつ、リード脚鎖錠片１４がコンデンサ収容部１０の奥面に形成された図示しない第１のリード脚挿入孔に対向して配置される。
【０００５】
図１３に示されるように第２端子４も、くの字形に折れ曲がって連なった第１片部１５ａ及び第２片部１５ｂからなる固定基部１５と、第１片部１５ａの一端から一体に突出された斜めの口金接触片１６と、第２片部１５ｂの一端から一体に突設された電線鎖錠片１７と、第２片部１５ｂから切起こされたリード脚鎖錠片１８とから形成されており、その固定基部１５をボディ２の背面側に形成した第２端子収容部２ｂに挿入することによってボディ２に取付けられている。この取付け状態で、口金接触片１６が口金受け筒部８の内周部から中心部に亘って配置されるとともに、電線鎖錠片１７がボディ２の前面側に形成された図示しない第２の電線挿入孔に対向して配置され、かつ、リード脚鎖錠片１８がコンデンサ収容部１０の奥面に形成された図示しない第２のリード脚挿入孔に対向して配置される。
【０００６】
したがって、口金受け筒部８にねじ込まれるグローランプ７は、その口金部７ａの周壁が口金接触片１２と噛合って接触し、かつ、口金部７ａのアイレット端子が口金接触片１６に当接して、ボディ２に取付けられる。同様に、コンデンサ収容部１０に挿入されるコンデンサ９は、その一対のリード脚９ａが両端子３、４のリード脚鎖錠片１４、１８を押し退けつつこれらに鎖錠されて、ボディ２に取付けられる。又、前記一対の電線挿入孔に挿入される図示しない電線は、夫々両端子３、４の電線鎖錠片１３、１７を押し退けつつこれらに鎖錠される。
【０００７】
ところで、前記第１、第２の端子３、４は、ロールに巻いた金属帯板を繰り出して、この帯板からプレスで打抜いた後に、曲げ加工をすることにより形成される。図１４（Ａ）、図１５（Ａ）には、前記帯板Ａに対する第１、第２の端子３、４の材料取りが示され、この材料取りに従って打抜かれた両端子板３ａ、４ａの形状は図１４（Ｂ）、図１５（Ｂ）に示されている。これらから分かるように両端子３、４共に、固定基部形成部Ｂの一辺に、電線鎖錠片形成部Ｃとこれに平行なリード脚鎖錠片形成部Ｄとを突設している。又、Ｅはリード脚鎖錠片１３又は１７の切起こしを可能とするために打抜かれるスリットを示している。
【０００８】
このような構成では、既述のように第１、第２の片部１１ａ、１１ｂ又は１５ａ、１５ｂからなる固定基部１１、１５の形状が大きいだけではなく、これら両片部１１ａ、１１ｂ又は１５ａ、１５ｂから口金接触片１２又は１６、電線鎖錠片１３又は１７が突設されるため、図１４（Ａ）、図１５（Ａ）に示されるように材料取りにおける無駄が多く（なお、符号Ｆが無駄に捨てられるスクラップ部分であって、平行斜線で示す。）、したがって、両端子３、４のコスト、ひいてはソケット全体のコストが高いという問題がある。なお、このような事情は、リード片鎖錠片１４、１８を設けない端子においても同じである。
【０００９】
又、図１１に示されるように前記構成のねじ込みソケット１では、このソケット１の器具取付け部側にコンデンサ９を口金受け筒部８の軸線と平行な姿勢で取付けるため、ソケット１を器具本体に取付けた状態では、口金受け筒部８によってコンデンサ９が隠されるから、コンデンサ９の取付けを一目で確認することが難しいという問題がある。
【００１０】
【発明が解決しようとする課題】
したがって、本発明が解決しようとする第１の課題は、第１、第２の端子の材料取りを向上でき、コストダウンを図ることができるねじ込みソケット及び照明器具を得ることにある。
【００１１】
また、本発明が解決しようとする第２の課題は、コンデンサ等の付属電気備品を備えての実施にあって、前記第１の課題を解決しつつ、付属電気部品の取付けの有無の確認を一目で確認できるねじ込みソケット及び照明器具を得ることにある。
【００１２】
【課題を解決するための手段】
請求項１の発明に係るねじ込みソケットは、一対の電線挿入孔を有するとともにねじ込み式ランプの口金部がねじ込まれる口金受け筒部を有するボディと、前記ねじ込み式ランプの前記口金部の外周をなす螺旋溝を有した周壁に接触されるように前記ボディ内に配置された第１端子と、前記ねじ込み式ランプの前記口金部のアウトレット端子に接触されるように前記第１端子から離れて前記ボディ内に配置された第２端子と、を具備するねじ込みソケットにおいて、前記両端子が、前記口金部と接触する口金接触片と、この接触片の長手方向に連続して前記口金接触片の一端であって、かつ、前記口金接触片よりも幅広となるように一体に設けられるとともに前記ボディの端子収容部に取付けられる固定基部と、この固定基部の一部が前記口金接触片の長手方向であって、一面側に切起こされて前記電線挿入孔に対向する電線鎖錠片とを有し、前記第１端子の口金接触片は波板状をなしていることを特徴とする。
【００１３】
請求項１の発明及び以下の各発明において、固定基部は、口金接触片よりも幅広である。このことは固定基部よりも長い口金接触片の幅を狭くできるので、端子を構成するのに必要な金属材料の量をより少なくできるとともに、この固定基部から切起こされる電線鎖錠片の幅が大きくなって電線の鎖錠性をより確実にできる点で優れている。
【００１４】
請求項１の発明及び以下の各発明に係るねじ込みソケットには、グローランプ又は常夜灯等のねじ込み式ランプが装着される。この装着において、ねじ込みソケットが備える一対の端子の口金接触片は、ボディの口金受け筒部にねじ込みながら挿入されるランプの口金部の周壁又はアイレット端子と接触して、口金部と電気的に接続する。又、前記端子の電線鎖錠片は、これに対向する電線挿入孔に挿入された電線の芯線で押されて、弾性変形を伴って押し退けられつつ、電線を鎖錠する。よって、ねじ込みソケットに取付けられたねじ込み式ランプを両端子を介して電線間に接続できる。
【００１５】
そして、前記構成の端子は、口金接触片の長手方向に連続して口金接触片の一端に固定基部が一体に設けられ、この基部から電線鎖錠片を切起こしたので、固定基部の幅を従来に比して狭くできるとともに、展開状態では電線鎖錠片が固定基部の一部をなしているから、これら端子を金属帯板からプレスにより打抜く際の材料取りが向上され、それに応じてコストダウンを図ることができる。
【００１６】
請求項２の発明に係るねじ込みソケットは、一対の電線挿入孔を有するとともにねじ込み式ランプの口金部がねじ込まれる口金受け筒部を有するボディと、前記ねじ込み式ランプの前記口金部の外周をなす螺旋溝を有した周壁に接触されるように前記ボディ内に配置された第１端子と、前記ねじ込み式ランプの前記口金部のアウトレット端子に接触されるように前記第１端子から離れて前記ボディ内に配置された第２端子と、を具備するねじ込みソケットにおいて、前記両端子が、前記口金部と接触する口金接触片と、この接触片の長手方向に連続して前記口金接触片の一端であって、かつ、前記口金接触片よりも幅広となるように一体に設けられるとともに前記ボディの端子収容部に取付けられる固定基部と、この固定基部の一部が前記口金接触片の長手方向であって、一面側に切起こされて前記電線挿入孔に対向する電線鎖錠片と、前記口金接触片と前記固定基部とが連続する方向に対して直角方向に前記固定基部から延出された部分を斜めに折り曲げてなるリード脚鎖錠片とを有し、前記第１端子の口金接触片は波板状をなして形成され、かつ、前記一対のリード脚鎖錠片間に位置して前記ボディに設けられた絶縁壁と、一対のリード脚を有して前記ボディ内に前記口金受け筒部の軸方向と直交する方向に挿入され、前記一対のリード脚の夫々が前記絶縁壁と前記リード脚鎖錠片とで挟持されて前記ボディに取付けられる付属電気部品と、を備えることを特徴とする。
【００１７】
請求項２の発明は付属電気部品を備えるねじ込みソケットを対象とし、付属電気部品としては、雑音防止用コンデンサ等が用いられる。この発明において、固定基部から斜めに折り曲げられたリード脚鎖錠片は、ボディ内に挿入される付属電気部品が有するリード脚で押されて、弾性変形を伴って押し退けられつつ、このリード脚をボディの絶縁壁との間で鎖錠する。よって、両端子間に付属電気部品を電気的に接続できる。付属電気部品はその取付けに際し、口金受け筒部の軸方向と直交する方向に挿入されるので、口金受け筒部に制約されることなく容易にボディ内に挿入して取付けることができる。
請求項１又は２に従属する請求項３の発明に係るねじ込みソケットは、前記両端子が金属帯板から打抜かれた素材を曲げ加工してなり、前記素材の展開形状が、口金接触片形成部分、この口金接触片形成部分の長手方向に延びて前記口金接触片形成部分の長手方向一端に連続する固定基部形成部分、及びこの固定基部形成部分と前記口金接触片形成部分とが連続する方向に対して直角方向に前記固定基部形成部分から延出されるリード脚鎖錠片形成部分を有して、Ｌ字形状をなしているとともに、この展開形状において前記固定基部形成部分内に電線鎖錠片形成部分の切起しを可能とするスリットが設けられていることを特徴とする。
この請求項３の発明は、請求項１又は２の発明の作用に加えて、両端子のリード脚鎖錠片を、固定基部と口金接触片とが連続する方向に直角方向に固定基部から延出された部分を折り曲げて形成したから、これら端子を展開すると略Ｌ字形状となる。そのため、これら端子を金属帯板からプレスで打抜く際に、前記略Ｌ字形状を金属帯板の長手方向に対して斜めに傾けた設定とすることにより、前記略Ｌ字形状の内側角部に隣接する前記略Ｌ字形状の外側角部を合わせた打抜きパターンを形成できる。よって、これら端子を金属帯板からプレスにより打抜く際の材料取りがより向上されるものであり、それに応じて更にコストダウンを図ることができる。
【００１８】
請求項２又は３に従属する請求項４の発明に係るねじ込みソケットは、前記第２の課題を解決するものであって、前記付属電気部品の挿入側と反対側に位置して前記ボディに器具取付け部を設けたことを特徴とする。
【００１９】
この請求項４の発明は、請求項２又は３の発明の作用に加えて、ねじ込みソケットをその器具取付け部を用いて照明器具の器具本体に取付けた状態で、付属電気部品の挿入側がボディで隠されることがないように設けることができる。そのため、このソケットを器具本体に取付けた後でも付属電気部品が付いているかどうかを一目で視認できる。
【００２０】
請求項５の発明に係る照明器具は、照明器具本体と、この本体に支持された放電ランプと、前記照明器具本体に装着された請求項１〜４の内のいずれか１項に記載のねじ込みソケットと、このソケットの口金受け筒部にねじ込んで取付けられるねじ込み式グローランプと、を具備したことを特徴とする
この発明においては、低コストのねじ込みソケットを備えるので、それに応じて安価な照明器具を提供できる。
【００２１】
【発明の実施の形態】
以下、図１〜図１０を参照して本発明の一実施形態を説明する。
【００２２】
図１は一実施形態に係る照明器具を示す斜視図であって、この図に示される照明器具２１は、天井に直付けされる板金製の照明器具本体２２と、この本体２２を下面側から覆う着脱可能な透光性カバー２３とを備えている。
【００２３】
図２に示されるように照明器具本体２２の中央部には、電源線引込み孔２４と、この周囲に内面に位置して天井取付け孔２５が複数設けられている。照明器具本体２２の内面には、複数のランプホルダ２６を介して大小一対の放電ランプ２７、２８が夫々同心的配置に取付けられているとともに、これらランプ２７、２８を点灯させる安定器２９、３０、及びスイッチ３１が取付けられている。なお、図１中３１ａはスイッチ３１の引き紐である。放電ランプ２７、２８は環形の蛍光ランプであるが、直管形の蛍光ランプを用いることもでき、又、その使用数は少なくとも一つであればよい。更に、照明器具本体２２の内面には、一実施形態に係るねじ込みソケット３２がランプ２７、２８と同数取付けられ、これらのソケット３２にはランプ２７、２８を始動させるグローランプ３３が夫々着脱可能に取付けられている。
【００２４】
図３〜図１０を参照してねじ込みソケット３２について説明する。このソケット３２は図３に示すように電気絶縁材料である合成樹脂製のボディ３５及び裏蓋３６と、導電性金属製の一対の端子３７、３８とを備えてなり、前記グローランプ３３が着脱可能に取付けられるとともに、必要により付属電気部品として例えば雑音防止用のコンデンサ３９が取付けられる。
【００２５】
図３〜図８に示すようにボディ３５が有するボディ主部４１の前面壁４１ａには、円筒状の口金受け筒部４２が一体に突設されている。この筒部４２の前後両端は開放されており、その後端開口を横切る断面Ｔ字形のブリッジ４３がボディ主部４２に設けられている。後面が開放されたボディ主部４１内には口金受筒部４２の両側に位置して第１、第２の端子収容部４４、４５が設けられている。これら一対の端子収容部４４、４５は図７に示されるように９０°以上の角度θをもって離されているとともに、その後端は開放されている。この離間角度θは、両端子４４、４５間の距離を大きくして、これらの間の電気的な絶縁性を十分に確保するのに有効である。
【００２６】
図７に示されるように端子収容部４４、４５は、基部収容溝４６と、これに連続する鎖錠片収容溝４７とを有している。これら端子収容部４４、４５のボディ主部４１の中心側は開放されていて、この開放部分は口金受け筒部４２内と連通されている。基部収容溝４６の夫々前記前面壁４１ａに向けて延びる一対の基部係止スリット４６ａが設けられている。図６に示されるように前面壁４１ａには口金受け筒部４２の両側に位置して夫々電線挿入孔４８が貫通して設けられ、これら挿入孔４８の芯線通孔部４８ａは図７に示されるように鎖錠片収容溝４７の溝底（後方から見て）に開口されている。
【００２７】
ボディ主部４１内には絶縁壁となる凸部４９がブリッジ４３の後面から一体に突設され、この凸部４９は端子収容部４４、４５間に配置されている。凸部４９は前記コンデンサ３９が有する一対のリード脚３９ａと同程度以上の高さを有する。ボディ主部４１には前側に向けて凹むコンデンサ挿入溝（付属電気部品挿入溝）５０が凸部４９と対向して設けられている。更に、口金受け筒部４２の外面には器具取付け部５１が一体に設けられている。この取付け部５１とコンデンサ挿入溝５０とは口金受け筒部４２を間に置いて互いに反対側にある。器具取付け部５１を介してボディ３５が前記器具本体２２に取付けられるようになっている。
【００２８】
図３に示される前記裏蓋３６は、その内面側に設けた引掛け突起６１及び引掛け爪６２を夫々ボディ主部４１の対応する受け部に引掛けることにより、ボディ主部４２の開放された後面を塞いで装着される。この装着によりコンデンサ挿入溝５０が仕切られる。裏蓋３６は一対の仕切り壁６３を有しており、この先端部に引掛け突起６１が形成されている。両仕切り壁６３は、コンデンサ３９を両端子３７、３８から隔離するための絶縁壁として用いられる。
【００２９】
図３〜図５等に示されるように第１の端子３７は、口金接触片７１と、固定基部７２と、電線鎖錠片７３と、リード脚鎖錠片７４と、を有して形成されている。口金接触片７１は、グローランプ３３の口金部３４の外周をなす螺旋溝を有した周壁３４ａに接触されるように口金受け筒部４２の内面に沿って配置される（図８参照）。この接触片７１は波板状をなして、前記周壁３４ａに噛合うようになっている。固定基部７２は、口金接触片７１の後端にこの接触片７１の長手方向に連続して一体に設けられていて、その幅は口金接触片７１よりも幅広であって、かつ、長さは口金接触片７１よりは短い。固定基部７２はその両側縁を第１端子収容部４４の相対向する基部係止スリット４６ａに差込むことにより、第１端子収容部４４の基部収納溝５６に嵌め込んで取付けられる。
【００３０】
電線鎖錠片７３は固定基部７２の一部をその一面側に切起こして形成されている。この鎖錠片７３は第１端子収容部４４の鎖錠片収容溝４７に嵌め込まれて、前記芯線通孔部４８ａに対向して設けられている。リード脚鎖錠片７４は、固定基部７２の一辺から一体に突出されたリード脚鎖錠片形成部分を斜めに折り曲げて形成されている。図９（Ｂ）に示されるようにリード脚鎖錠片７４を形成する前記部分７４ａは、口金接触片７１と固定基部７２とが連続する方向に対して直角方向に突出される。
【００３１】
前記構成の第１端子３７は、ロール状に巻かれた金属帯板７５を繰り出して、プレス機により図９（Ａ）に示す材料取りをもって打抜き、その結果、図９（Ｂ）に示すように略Ｌ字形状に打抜かれた素材７６を曲げ加工することによって、図９（Ｃ）に示すように製品とされるものである。なお、図９（Ｂ）中７１ａは口金接触片形成部分、７２ａは固定基部形成部分、７３ａは電線鎖錠片形成部分、７４ａはリード脚鎖錠片形成部分、７７は電線鎖錠片形成部分７３ａの切起こしを可能とするために打抜かれたスリットを示している。
【００３２】
そして、前記材料取りにおいては、図９（Ａ）に示したように金属帯板７５の長手方向に対して略Ｌ字形状をなして打抜かれる部分を斜めに傾けた設定として、前記略Ｌ字形状の内側角部Ｘに隣接する前記略Ｌ字形状の外側角部Ｙを合わせた打抜きパターンを形成できる。したがって、これら第１端子３７の素材７６を金属帯板７５からプレスにより打抜く際に、無駄にスクラップ（平行斜線を付して符号Ｚで示す。）される部分を少なくして、材料取りを向上できる。その上、口金接触片７１の後端に固定基部７２を口金接触片７１の長手方向に沿って一体に連続させた構成の第１端子３７は、その固定基部７２から電線鎖錠片７３を切起こしたので、固定基部７２の幅を従来に比して狭くできる。従って、これらの理由により、第１端子３７及びこれを備えたねじ込みソケット３２及びこのソケット３２を備えた照明器具２１のコストダウンを図ることができる。
【００３３】
前記第２の端子３８は第１端子３７と同様な構成である。すなわち、図３〜図５等に示されるように第２の端子３８は、口金接触片８１と、固定基部８２と、電線鎖錠片８３と、リード脚鎖錠片８４と、を有して形成されている。口金接触片８１は、グローランプ３３の口金部３４のアイレット端子３４ｂに接触されるように、口金受け筒部４２の中心部から第２端子収容部４５に亘って斜めに配置される（図８参照）。この接触片８１の先端部にはアイレット端子３４ｂが当接されるようになっている。固定基部８２は、口金接触片８１の後端にこの口金接触片８１の長手方向に連続して一体に設けられていて、その幅は口金接触片８１よりも幅広であって、かつ、長さは口金接触片８１よりは短い。固定基部８２はその両側縁を第２端子収容部４５の相対向する基部係止スリット４６ａに差込むことにより、第２端子収容部４５の基部収納溝４６に嵌め込んで取付けられる。
【００３４】
電線鎖錠片８３は固定基部８２の一部をその一面側に切起こして形成されている。この鎖錠片８３は第２端子収容部４５の鎖錠片収容溝４７に嵌め込まれて、前記芯線通孔部４８ａに対向して設けられている。リード脚鎖錠片８４は、固定基部８２の一辺から一体に突出されたリード脚鎖錠片形成部分を斜めに折り曲げて形成されている。図１０（Ｂ）に示されるようにリード脚鎖錠片８４を形成する前記部分８４ａは、口金接触片８１と固定基部８２とが連続する方向に対して直角方向に突出される。
【００３５】
前記構成の第２端子３８は、ロール状に巻かれた金属帯板８５を繰り出して、プレス機により図１０（Ａ）に示す材料取りをもって打抜き、その結果、図１０（Ｂ）に示すように略Ｌ字形状に打抜かれた素材８６を曲げ加工することによって、図１０（Ｃ）に示すように製品とされるものである。なお、図１０（Ｂ）中８１ａは口金接触片形成部分、８２ａは固定基部形成部分、８３ａは電線鎖錠片形成部分、８４ａはリード脚鎖錠片形成部分、８７は電線鎖錠片形成部分８３ａの切起こしを可能とするために打抜かれたスリットを示している。
【００３６】
そして、前記材料取りにおいても、図１０（Ａ）に示したように金属帯板８５の長手方向に対して略Ｌ字形状をなして打抜かれる部分を斜めに傾けた設定として、前記略Ｌ字形状の内側角部Ｘに隣接する前記略Ｌ字形状の外側角部Ｙを合わせた打抜きパターンを形成できる。したがって、これら第２端子３９の素材８６を金属帯板８５からプレスにより打抜く際に、無駄にスクラップ（平行斜線を付して符号Ｚで示す。）される部分を少なくして、材料取りを向上できる。その上、口金接触片８１の後端に固定基部８２を口金接触片８１の長手方向に連続して一体に設けた構成の第２端子３８は、その固定基部８２から電線鎖錠片８３を切起こしたので、固定基部８２の幅を従来に比して狭くできる。従って、これらの理由により、第２端子３８及びこれを備えたねじ込みソケット３２及びこのソケット３２を備えた照明器具２１にコストダウンを図ることができる。
【００３７】
前記構成の第１、第２の端子３７、３８は夫々に対応する端子収容部４４、４５に以上のように嵌め込んで取付けられるものであり、それによって図４及び図５に示されるように固定接触片７１、８１を除く部分が前記凸部４９を境に線対称に配置され、この状態でリード脚鎖錠片７４、８４の先端は夫々凸部４９の両側面に接する。
【００３８】
そのため、コンデンサ挿入溝５０からリード脚３９ａを先頭にしてコンデンサ３９を、口金受け筒部４２の軸線に直角な方向から挿入すると、凸部４９の両側面に沿うように挿入されるリード脚３９ａは、リード脚鎖錠片７４、８４をその弾性に抗して押し退けながら、これら鎖錠片７４、８４の先端を通過する。それによって、鎖錠片７４、８４の先端がリード脚３９ａに食い込んで、これらリード脚３９ａがリード脚鎖錠片７４、８４と凸部３９ａとの間に夫々挟まれて鎖錠される。こうしたコンデンサ３９の取付けにおいては、口金受け筒部４２が邪魔にならないから容易に作業できる。
【００３９】
前記のように取付けられたコンデンサ３９はコンデンサ挿入溝５０に露出して外部から視認可能である。そして、ねじ込みソケット３２をその器具取付け部５１を介して前記器具本体２２の内面に取付けると、この本体２２側の器具取付け部５１は口金受け筒部４２に隠されるようになるが、器具取付け部５１は反対側のコンデンサ挿入溝５０は口金受け筒部４２に隠されることなく露出する。したがって、コンデンサ３９が取付けられているかどうかを口金受け筒部４２に邪魔されることなく一目で視認でき、よって、目視検査がし易く、コンデンサ３９の付け忘れを防止する上で有効である。
【００４０】
又、ねじ込みソケット３２にグローランプ３３を装着するには、口金受け筒部４２にグローランプ３３をねじ込みながらその口金部３４を挿入すればよい。そうすると、挿入されたグローランプ３３の口金部３４の周壁３４ａに第１端子３６の口金接触片７１が接触するとともに、第２端子３７の口金接触片８１に口金部３４のアイレット端子３４ｂが押付けられて、グローランプ３３のねじ込みソケット３２への取付けが行われる。又、このソケット３２の前面壁４１ａの一対の電線挿入孔４８には夫々図示しない電線が挿入され、芯線通孔部４８ａを挿通した電線の芯線は、第１、第２の端子３７、３８の電線鎖錠片７３、８３をその弾性に抗して押し退けながら、これら鎖錠片７３、８３の先端を通過する。それによって、電線鎖錠片７３、８３の先端が芯線に食い込んで電線を鎖錠し、この鎖錠に伴って両端子３７、３８を介して電線間にグローランプ３３を接続できる。
【００４１】
【発明の効果】
本発明は、以上説明したような形態で実施され、以下に記載されるような効果を奏する。
【００４２】
請求項１に記載の発明によれば、ボディ内に配置される第１、第２の端子の材料取りを向上できるので、それに応じてねじ込みソケットを低コストにできる。
【００４３】
請求項２に記載の発明によれば、付属電気部品を取付け可能にボディ内に配置される第１、第２の端子の材料取りをより向上できるので、それに応じてねじ込みソケットをより低コストにできる。
請求項３に記載の発明によれば、第１、第２の端子を金属帯板から打抜く際の材料取りをより向上できるので、それに応じて更にコストダウンを図ることができる。
【００４４】
請求項２又は３に従属する請求項４に記載の発明によれば、付属電気部品がボディで隠されることがなくなり、付属電気部品の取付けの有無の確認を一目で視認することができる。
【００４５】
請求項５の発明によれば、低コストのねじ込みソケットを備えるので、それに応じて安価な照明器具を提供できる。
【図面の簡単な説明】
【図１】本発明の一実施形態に係る照明器具を示す斜視図。
【図２】図１に示された照明器具をそのカバーを取外して示す下面図。
【図３】本発明の一実施形態に係るねじ込みソケットを分解して示す斜視図。
【図４】一実施形態に係るねじ込みソケットを裏蓋を取除いて示す斜視図。
【図５】図４の状態のねじ込みソケットを示す背面図。
【図６】一実施形態に係るねじ込みソケットをコンデンサが取付けられる前の状態で示す正面図。
【図７】一実施形態に係るねじ込みソケットをコンデンサが取付けられる前の状態で裏蓋を取除いて示す背面図。
【図８】一実施形態に係るねじ込みソケットを示す横断平面図。
【図９】（Ａ）は一実施形態に係るねじ込みソケットが備える第１端子の材料取りを示す図。（Ｂ）は打抜かれた第１端子を示す平面図。（Ｃ）は打抜き後に成形された第１端子を示す平面図。
【図１０】（Ａ）は一実施形態に係るねじ込みソケットが備える第２端子の材料取りを示す図。
（Ｂ）は打抜かれた第２端子を示す平面図。
（Ｃ）は打抜き後に成形された第２端子を示す平面図。
【図１１】従来例に係るねじ込みソケットを、その裏蓋を開いた状態でこれに取付けられる電気部品とともに示す分解斜視図。
【図１２】（Ａ）は従来例に係るねじ込みソケットが備える第１端子を示す正面図。
（Ｂ）は第１端子を示す背面図。
（Ｃ）は第１端子を図１２（Ａ）中矢印Ｘ方向から見て示す側面図。
【図１３】（Ａ）は従来例に係るねじ込みソケットが備える第２端子を示す正面図。
（Ｂ）は第２端子を示す背面図。
（Ｃ）は第２端子を図１３（Ａ）中矢印Ｗ方向から見て示す側面図。
【図１４】（Ａ）は従来例の第１端子の材料取りを示す図。
（Ｂ）は打抜かれた第１端子を示す平面図。
【図１５】（Ａ）は従来例の第２端子の材料取りを示す図。
（Ｂ）は打抜かれた第２端子を示す平面図。
【符号の説明】
２１…照明器具、２２…照明器具本体、２７、２８…放電ランプ、３３…グローランプ（付属電気部品）、３２…ねじ込みソケット、３４…口金部、３４ａ…周壁、３４ｂ…アウトレット端子、３５…ボディ、３７…第１端子、３８…第２端子、３９…コンデンサ、３９ａ…リード脚、４１…ボディ主部、４２…口金受け筒部、４４…第１端子収容部、４５…第２端子収容部、４９…凸部（絶縁壁）、５０…コンデンサ挿入溝、５１…器具取付け部、７１、８１…口金接触片、７１ａ、８１ａ…口金接触片形成部分、７２、８２…固定基部、７２ａ、８２ａ…固定基部形成部分、７３、８３…電線鎖錠片、７３ａ、８３ａ…電線鎖錠片形成部分、７４、８４…リード脚鎖錠片、７４ａ、８４ａ…リード脚鎖錠片形成部分、７７，７８…スリット。
【図１】
0003738599.tif 000002
【図２】
0003738599.tif 000003
【図３】
0003738599.tif 000004
【図４】
0003738599.tif 000005
【図５】
0003738599.tif 000006
【図６】
0003738599.tif 000007
【図７】
0003738599.tif 000008
【図８】
0003738599.tif 000009
【図９】
0003738599.tif 000010
【図１０】
0003738599.tif 000011
【図１１】
0003738599.tif 000012
【図１２】
0003738599.tif 000013
【図１３】
0003738599.tif 000014
【図１４】
0003738599.tif 000015
【図１５】
0003738599.tif 000016